(57)【要約】【課題】  処理動作が行われている際、その処理動作の性質に依存して放置されている可能性があると判断し、操作ロックを施す情報処理装置を提供する。【解決手段】  上下筐体が閉状態で所定時間が経過した場合（ステップＳ１１ｂの「経過した」）か、使用者の操作待ちが所定時間経過した場合（ステップＳ１１ｉの「経過した」）であって、装置で動作中の処理が、使用者の操作なしで起動され、使用者の操作を待っている処理及び／または優先度が低い処理のみである場合（ステップＳ１１ｃの「その処理のみが動作中」）、操作ロックを施す（ステップＳ１１ｄ）。【選択図】  図１４
2006222567.tif 000002
【特許請求の範囲】
【請求項１】
開閉自在の装置であり、
文字及び／または図形を表示する表示手段と、
１種類または複数種類の情報を受信する受信手段と、
前記受信手段によって情報が受信された後に動作を開始し、前記受信手段によって受信された情報の種類の一覧を前記表示手段に表示する受信報知手段と、
所定時間に渡って、装置が閉状態であると検出した場合、キー操作ロックを施すロック手段と
を有することを特徴とする情報処理装置。
【請求項２】
複数のキーからなり、そのキー入力を受け付ける入力手段を更に有し、
前記受信報知手段は、前記入力手段がキー入力を受け付けることを待ち、
前記ロック手段は、所定時間に渡って、前記入力手段がキー入力を受け付けることを待ち、かつ、装置が閉状態であると検出した場合、キー操作ロックを施す
ことを特徴とする請求項１に記載の情報処理装置。
【請求項３】
文字及び／または図形を表示する表示手段と、
複数のキーからなり、そのキー入力を受け付ける入力手段と、
１種類または複数種類の情報を受信する受信手段と、
前記受信手段によって情報が受信された後に動作を開始し、前記受信手段によって受信された情報の種類の一覧を前記表示手段に表示し、前記入力手段がキー入力を受け付けることを待つ受信報知手段と、
前記受信報知手段が所定時間に渡って、前記入力手段がキー入力を受け付けることを待った場合、キー操作ロックを施すロック手段と
を有することを特徴とする情報処理装置。
【請求項４】
前記受信報知手段は、前記入力手段がキー入力を受け付けると、動作を停止し、または、前記表示された情報の種類を選択し、前記選択された種類の情報を前記表示手段に表示する
ことを特徴とする請求項２または請求項３に記載の情報処理装置。
【請求項５】
前記情報を前記表示手段に表示する情報表示手段を更に有し、
前記受信報知手段は、前記入力手段がキー入力を受け付けると、前記表示された情報の種類を選択し、前記選択された種類の情報を前記情報表示手段に表示させる
ことを特徴とする請求項２または請求項３に記載の情報処理装置。
【請求項６】
開閉自在の装置であり、
複数のキーからなり、そのキー入力を受け付ける入力手段と、
前記入力手段がキー入力を受け付けることによって起動される第１の処理部と、
前記第１の処理部より優先度が高い第２の処理部と、
所定時間に渡って、前記第１の処理部が動作中か動作を一時停止中であり、かつ、前記第２の処理部が動作中でなく、かつ、装置が閉状態であると検出した場合、キー操作ロックを施すロック手段と
を有することを特徴とする情報処理装置。
【請求項７】
複数のキーからなり、そのキー入力を受け付ける入力手段と、
前記入力手段がキー入力を受け付けることによって起動される第１の処理部と、
前記第１の処理部より優先度が高い第２の処理部と、
所定時間に渡って、前記第１の処理部が動作中か動作を一時停止中であり、かつ、前記第２の処理部が動作中でなく、かつ、前記入力手段がキー入力を受け付けない場合、キー操作ロックを施すロック手段と
を有することを特徴とする情報処理装置。
【請求項８】
前記第１の処理部は、動作中に前記第２の処理部が動作を開始すると、動作を一時停止する
ことを特徴とする請求項６または請求項７に記載の情報処理装置。
【請求項９】
前記第２の処理部は、前記入力手段がキー入力を受け付けることによって前記第１の処理部が動作を一時停止した後、動作を開始する
ことを特徴とする請求項６または請求項７に記載の情報処理装置。
【請求項１０】
前記第１の処理部は、動作を一時停止中に前記第２の処理部が動作を終了すると、動作を再開する
ことを特徴とする請求項８または請求項９に記載の情報処理装置。
【請求項１１】
文字及び／または図形を表示する表示手段を更に有し、
前記第２の処理部は、前記第１の処理部が動作中で前記表示手段に表示を行っている後に動作を開始すると、前記第１の処理部による表示を隠して前記表示手段に表示を行う
ことを特徴とする請求項６または請求項７に記載の情報処理装置。
【請求項１２】
文字及び／または図形を表示する表示手段と、送受信手段とを更に有し、
前記第１の処理部は、前記表示手段にコンテンツを表示するコンテンツ再生部であって、前記第２の処理部は、前記送受信手段による送話及び受話を行う通話処理部である
ことを特徴とする請求項６または請求項７に記載の情報処理装置。
【発明の詳細な説明】
【技術分野】
【０００１】
本発明は、情報処理装置に係り、特に、処理動作が実行されている際の操作ロック処理に関する。
【背景技術】
【０００２】
もっぱら一人の使用者によって用いられる情報処理装置が知られている。小型で持ち運びが可能な移動通信端末装置や、電子手帳装置がその装置の一例であるが、これらに限るものではない。一人に割り当てられたパソコンなどもその装置の別の例である。これらの情報処理装置は、使用者が常に身につけて持ち運び、または、使用者が装置から離れる場合、使用者が操作ロックを施すことが通常であるが、その操作ロックが施されることなく、例えば、机上に放置されることがある。
【０００３】
机上に放置された際、その装置の使用者以外の者によって使われると、例えば、その装置内に記憶された個人情報が漏れる可能性があるなどの問題点がある。また、鞄などに入れられて放置されることがある。鞄などの中に放置された際、その装置のキーなどが装置の周囲の物に触れて操作され、使用者の意に反した動作が行われる、また、電力が無用に消費される可能性があるなどの問題点がある。
【０００４】
そこで、情報処理装置が使用されていない状態で放置されている可能性があることを検出すると、その装置のキーなどの入力操作にロックを施して、そのロックは、所定の暗証番号の入力による認証によって解除される処理が知られている（例えば、特許文献１参照。）。
【特許文献１】特開２００４−３４３６７７号公報（第２−８、１３頁、図１）
【発明の開示】
【発明が解決しようとする課題】
【０００５】
しかしながら、上述した特許文献１に開示されている手法では、情報処理装置で処理動作が行われている場合、操作ロックが施されない。そのため、その装置で処理動作が行われていて、その装置が放置されている可能性がある場合、操作ロックが施されないことによって、その装置内に記憶された個人情報が漏れる可能性があるなどの問題点があった。
【０００６】
本発明は上記問題点を解決するためになされたもので、処理動作が行われている際、その処理動作の性質に依存して放置されている可能性があると判断し、操作ロックを施す情報処理装置を提供することを目的とする。
【課題を解決するための手段】
【０００７】
上記目的を達成するために、本発明の情報処理装置は、開閉自在の装置であり、文字及び／または図形を表示する表示手段と、１種類または複数種類の情報を受信する受信手段と、前記受信手段によって情報が受信された後に動作を開始し、前記受信手段によって受信された情報の種類の一覧を前記表示手段に表示する受信報知手段と、所定時間に渡って、装置が閉状態であると検出した場合、キー操作ロックを施すロック手段とを有することを特徴とする。
【０００８】
また、本発明の情報処理装置は、文字及び／または図形を表示する表示手段と、複数のキーからなり、そのキー入力を受け付ける入力手段と、１種類または複数種類の情報を受信する受信手段と、前記受信手段によって情報が受信された後に動作を開始し、前記受信手段によって受信された情報の種類の一覧を前記表示手段に表示し、前記入力手段がキー入力を受け付けることを待つ受信報知手段と、前記受信報知手段が所定時間に渡って、前記入力手段がキー入力を受け付けることを待った場合、キー操作ロックを施すロック手段とを有することを特徴とする。
【０００９】
また、本発明の情報処理装置は、開閉自在の装置であり、複数のキーからなり、そのキー入力を受け付ける入力手段と、前記入力手段がキー入力を受け付けることによって起動される第１の処理部と、前記第１の処理部より優先度が高い第２の処理部と、所定時間に渡って、前記第１の処理部が動作中か動作を一時停止中であり、かつ、前記第２の処理部が動作中でなく、かつ、装置が閉状態であると検出した場合、キー操作ロックを施すロック手段とを有することを特徴とする。
【００１０】
また、本発明の情報処理装置は、複数のキーからなり、そのキー入力を受け付ける入力手段と、前記入力手段がキー入力を受け付けることによって起動される第１の処理部と、前記第１の処理部より優先度が高い第２の処理部と、所定時間に渡って、前記第１の処理部が動作中か動作を一時停止中であり、かつ、前記第２の処理部が動作中でなく、かつ、前記入力手段がキー入力を受け付けない場合、キー操作ロックを施すロック手段とを有することを特徴とする。
【発明の効果】
【００１１】
本発明によれば、処理動作が行われている際、その処理動作の性質に依存して放置されている可能性があると判断し、操作ロックを施す情報処理装置を提供することができる。
【発明を実施するための最良の形態】
【００１２】
以下に、本発明による情報処理装置の実施の形態を、図面を参照して説明する。図１は、本発明の実施形態に係る情報処理装置が適用された第１の開閉自在の折畳み型移動通信端末装置の、上下筐体の折畳みを開いた時の外観を示し、図１（ａ）は正面図を、図１（ｂ）は側面図を示す。
【００１３】
この第１の移動通信端末装置は、上筐体１と下筐体２とが、ヒンジ部３によって回動自在に連結されてなることによって、上下筐体１、２の角度がほぼ０度（閉状態）からほぼ１８０度（開状態）の間で開閉自在に構成されている。上筐体１の内面には、受話に用いられるスピーカ１４ａと、使用者に操作を促す表示や、使用者が操作した内容の表示や、カーソル位置や、装置の動作状態の表示などに用いられるバックライト付きのＬＣＤ（Liquid Crystal Display）からなる表示部１５とが設置されている。表示部１５は、装置の状態を簡単な図形（ピクト）で表示するための欄と、処理中の内容に依存した表示が行われる欄とに分けられる。
【００１４】
また、下筐体２の内面には、送話に用いられるマイクロフォン１４ｂが設置されている。下筐体２の内面と側面には、キーパッドからなる入力装置１６が設けられている。また、下筐体２の外面には、電波の送受に用いられるアンテナ１２ａが設置されている。
【００１５】
入力装置１６は、下筐体２の内面に設置され、各機能での確定や選択を指示するために用いられるワープ中央キー１６ａと、ワープ中央キー１６ａに隣接してワープ中央キー１６ａを取り囲んで設置され、ワープ中央キー１６ａの上、下、左、及び、右方向に位置する４つのキーからなり、表示部１５上のカーソル位置の移動指示などに用いられるワープ十字キー１６ｂとを含む。また、下筐体２の内面で表示部１５の近く、即ち、上筐体１の近くに左から右へ設置され、表示部１５に左から右に表示された第１〜第３の機能を選択するために用いられる第１のソフトキー１６ｃと、第２のソフトキー１６ｄと、第３のソフトキー１６ｅとを含む。
【００１６】
更に、入力装置１６は、英数字や文字、記号の入力などに用いられる数字キーと、移動通信端末装置の電源の投入及び切断などの動作指示の入力に用いられる複数の機能キーと、更に、下筐体２の側面に設置された複数の側面キー１６ｆとを含んでいる。
【００１７】
また、ヒンジ部３には、上下筐体１、２が開状態にあるか、または、閉状態にあるかを検出する第１の開閉検出部（図示せず）が設置されて、その第１の開閉検出部から開閉信号が出力されている。
【００１８】
なお、上下筐体１、２が開状態にあるか、または、閉状態にあるかを検出するために、上筐体１の上部（ヒンジ部３から遠い部分）に磁石４ａを埋め込み、下筐体２の下部（ヒンジ部３から遠い部分）に磁石４ｂを埋め込み、そして、閉状態にある場合、これらの磁石４ａ、４ｂの間の距離が小さいように配置してある。そのため、閉状態にある場合、これらの磁石４ａ、４ｂ間に働く磁力によって、状態を検出する第２の開閉検出部（図示せず）を設置し、その第２の開閉検出部から開閉信号が出力されるとしても良い。また、第１の開閉検出部から出力される開閉信号と、第２の開閉検出部から出力される開閉信号とを用いて上下筐体１、２が開状態にあるか、または、閉状態にあるかを検出しても良い。
【００１９】
図２は、この第１の移動通信端末装置の上筐体１をヒンジ部３によって回動させ、下筐体２に近づけて折畳みを閉じた時の外観を示し、図２（ａ）は正面図を、図２（ｂ）は側面図を示す。折畳みが閉じられた状態では、表示部１５及び入力装置１６は、折畳みの内側にあるため、使用者は、表示部１５に行われた表示を視認することができず、また、入力装置１６のキーを操作することができない。
【００２０】
図３は、本発明の実施形態に係る情報処理装置が適用された第２の開閉自在の折畳み型移動通信端末装置の、上下筐体１、２の折畳みを開いた時の外観を示し、図３（ａ）は正面図を、図３（ｂ）は側面図を示す。なお、第１の開閉自在の折畳み型移動通信端末装置と同じ部分には同じ符号を付して、説明を省略する。
【００２１】
この第２の移動通信端末装置は、上筐体１と下筐体２とが、ヒンジ部３によって回動自在に連結されてなることによって、上下筐体１、２の角度がほぼ０度（閉状態）から１８０度（開状態）を経て、ほぼ３６０度（閉状態）の間で開閉自在に構成されている。そして、アンテナ（図示せず）は、上下筐体１、２内に設置されている。また、上筐体１とヒンジ部３とを回動自在に結合する第２のヒンジ部３ａを有している。また、第２のヒンジ部３ａには、上筐体１の回動角度を検出する第３の開閉検出部（図示せず）が設置されて、その第３の開閉検出部から開閉信号が出力されている。
【００２２】
また、上下筐体１、２が開状態にあるか、または、閉状態にあるかを検出するために、磁石４ａ、４ｂに代えて、上筐体１には２つの磁石、即ち、上部（ヒンジ部３から遠い部分）中央部に磁石４ｃを埋め込み、更に、下部（ヒンジ部３に近い部分）右端部に磁石４ｄを埋め込んでなる。更に、下筐体２には２つの磁石、即ち、下部（ヒンジ部３から遠い部分）中央部に磁石４ｅを埋め込み、更に、上部（ヒンジ部３に近い部分）左端部に磁石４ｆを埋め込んでなる。
【００２３】
図４は、この第２の移動通信端末装置の上筐体１をヒンジ部３によって、即ち、軸Ａ−Ａを中心に、内側に回動させ、下筐体２に近づけて折畳みを閉じた時の外観を示し、図４（ａ）は正面図を、図４（ｂ）は側面図を示す。折畳みが内側に閉じられた状態では、表示部１５及び入力装置１６は、折畳みの内側にあるため、使用者は、表示部１５に行われた表示を視認することができず、また、入力装置１６のキーを操作することができない。
【００２４】
この際、第１の開閉検出部から、折畳みが内側に閉じられた状態であるとの開閉信号が出力される。なお、折畳みが内側に閉じられた状態では、磁石４ｃ、４ｅ間の距離が小さくなるので、この磁石４ｃ、４ｅ間に働く磁力が大きくなることを用いて第２の開閉検出部からこの状態を示す開閉信号が出力されるとしても良い。
【００２５】
図５は、この第２の移動通信端末装置の上筐体１をヒンジ部３によって、即ち、軸Ａ−Ａを中心に、外側に回動させ、下筐体２に近づけて折畳みを閉じた時の外観を示し、図５（ａ）は正面図を、図５（ｂ）は側面図を示す。折畳みが外側に閉じられた状態では、表示部１５及び入力装置１６は、折畳みの外側にあるため、使用者は、表示部１５に行われた表示を視認することができ、また、入力装置１６のキーを操作することができる。
【００２６】
しかし、表示部１５と入力装置１６は、図５（ｂ）に示すように、一方は表側、他方は裏側に配置されるため、使用者は、同時に表示部１５と入力装置１６とを視認することができない。なお、折畳みが外側に閉じられた状態では、第１の開閉検出部から、折畳みが外側に閉じられた状態であるとの開閉信号が出力される。なお、折畳みが外側に閉じられた状態では、磁石４ｃ、４ｅ間の距離が小さくなるので、この磁石４ｃ、４ｅ間に働く磁力が大きくなることを用いて開閉信号が出力されるとしても良い。
【００２７】
図６は、この第２の移動通信端末装置が図３に示す上下筐体１、２の折畳みを開いた状態から、第２のヒンジ部３ａによって、軸Ａ−Ａと直交する軸Ｂ−Ｂを中心に上筐体１を９０度回動させた時の外観を示し、図６（ａ）は正面図を、図６（ｂ）は側面図を示す。この第２の移動通信端末装置の上筐体１は、第２のヒンジ部３ａによって回動自在にヒンジ部３と連結されてなることによって、上筐体１の向きを正面向きから背面向きまで回動させることができる。
【００２８】
上筐体１の向きを背面まで回動させた場合、使用者は、表示部１５に行われた表示を視認することができ、また、入力装置１６のキーを操作することができる。しかし、表示部１５と入力装置１６は、一方は表向きに、他方は裏向きに配置されるため、使用者は、同時に表示部１５と入力装置１６とを視認することができない。
【００２９】
図７は、この第２の移動通信端末装置の上筐体１を第２のヒンジ部３ａによって背面向きまで回動させた後、上筐体１をヒンジ部３によって内側に折畳んで閉状態にした時の外観を示し、図７（ａ）は正面図を、図７（ｂ）は側面図を示す。上筐体１を背面向きまで回動させた後、折畳んで閉状態にすると、磁石４ｄ、４ｆ間の距離が小さくなり、磁石４ｄ、４ｆ間に働く磁力が大きくなるため、上筐体１を背面向きまで回動させた後、折畳んで閉状態である旨の開閉信号が第２の開閉検出部から送信される。
【００３０】
図７に示す、上筐体１を背面向きまで回動させた後、内側に折畳んで閉状態した場合、表示部１５は折畳まれた外側に位置するので、使用者は、表示部１５を視認することができる。ところが、入力装置１６は折畳まれた内側に位置するため、使用者は、入力装置１６のキーを操作することができない。
【００３１】
なお、図７に示した閉状態は、上筐体１を背面向きまで回動させた後、内側に折畳んで閉状態した場合であるが、上筐体１を背面向きまで回動させた後、外側に折畳んで閉状態した場合、使用者は、表示部１５を視認することができない。ところが、入力装置１６は折畳まれた外側に位置するため、使用者は、入力装置１６のキーを操作することができる。
【００３２】
図８は、本発明の実施形態に係る情報処理装置が適用された第３の開閉自在のスライド型移動通信端末装置の、上下筐体１、２のスライドを開いた時の外観を示し、図８（ａ）は正面図を、図８（ｂ）は側面図を示す。なお、第２の開閉自在の移動通信端末装置と同じ部分には同じ符号を付して、説明を省略する。
【００３３】
この第３の移動通信端末装置は、ヒンジ部３、第２のヒンジ部３ａ、磁石４ｃ〜４ｆを有さず、スライド部（図示せず）を上筐体１がスライドすることによって、開閉を行う。即ち、上筐体１が上にスライドされることによって、下筐体２の正面に設置された入力装置１６が現れて、開状態となる。開状態において、第３の移動通信端末装置は、図３に示す第２の移動通信端末装置とほぼ同じ外観を示す。
【００３４】
図９は、第３の移動通信端末装置の、上下筐体１、２のスライドを閉じた時の外観を示し、図９（ａ）は正面図を、図９（ｂ）は側面図を示す。スライドを閉じる、即ち、上筐体１が下にスライドされることによって、下筐体２の内側に設置された入力装置１６が隠れて、閉状態となる。
【００３５】
なお、閉状態において、下筐体２の正面に配置された入力装置１６の全てのキーが隠されるとは限らない。図９に例示するように、下筐体２の正面に設置された一部のキーは現れていても良い。また、上筐体１の下部に一部のキーが設置されても良い。スライド部には、第４の開閉検出部（図示せず）が設置されて、その第４の開閉検出部から開閉信号が出力される。
【００３６】
以上、説明した通り、開閉自在の移動通信端末装置の閉状態には、表示部１５の表示が視認できず、かつ、入力装置１６の少なくとも１つのキーの操作ができない場合、表示部１５の表示が視認でき、かつ、入力装置１６のキー操作ができ、かつ、表示部１５と入力装置１６が装置の表裏に配置されるため、表示部１５と入力装置１６とを同時に視認できない場合、表示部１５の表示は視認でき、かつ、入力装置１６の少なくとも１つのキーの操作ができない場合、表示部１５の表示は視認できず、かつ、入力装置１６のキー操作ができる場合の４通りがある。
【００３７】
これらの４通りのいずれの場合も、使用者が対話的に装置を用いることができない。そこで、使用者が積極的に装置を用いていないと判断される。なお、入力装置１６の一部のキーに限ってキー操作ができる場合、そのキー操作ができるキーによって使用者が対話的に装置を用いることができない場合、装置は閉状態にあるとする。以後の説明で、閉状態とは、これらの中の１つ、または、任意の個数の複数の場合を指す。装置が閉状態でない場合、装置は開状態である。
【００３８】
なお、以上の説明では、いずれの装置も、閉状態にあって入力装置１６の一部である側面キー１６ｆは操作可能であるとした。そして、側面キー１６ｆのみの操作によって、使用者が積極的に装置を用いていないと判断されるので、側面キー１６ｆのみが操作可能であることは、上下筐体１、２が開状態であるか、閉状態であるかの判断には影響を及ぼさないとした。しかし、側面キー１６ｆのみの操作によって、使用者が積極的に装置を用いることができる場合、この限りではない。即ち、表示部１５が使用者によって視認可能であるか否かのみに注目して上下筐体１、２が開状態であるか、閉状態であるかを判断しても良い。
【００３９】
図１０は、これらの移動通信端末装置の構成を示すブロック図である。この移動通信端末装置は、開閉信号３ｂが入力され、装置全体の制御を行う制御部１１と、基地局（図示せず）との間で電波の送受信を行うアンテナ１２ａと、通信部１２ｂと、送受信部１３と、スピーカ１４ａと、マイクロフォン１４ｂと、通話部１４ｃと、表示部１５と、入力装置１６と、留守番電話部１７と、電子メール送受信部１８と、着信通知部２１と、画像表示部２２とからなる。
【００４０】
上記のように構成された、本発明の実施形態に係る移動通信端末装置の各部の動作を、図１０を参照して説明する。まず、通信部１２ｂは、アンテナ１２ａが受信した高周波信号を送受信部１３へ出力し、また、送受信部１３から出力される高周波信号をアンテナ１２ａより送信する。
【００４１】
送受信部１３は、通信部１２ｂからの高周波信号を増幅、周波数変換及び復調し、それによって得られたディジタル音声信号を通話部１４ｃへ、また、制御信号を制御部１１に送る。更には、通話部１４ｃから出力されるディジタル音声信号、及び制御部１１から出力される制御信号を変調、周波数変換及び増幅し、高周波信号を得て、それを通信部１２ｂに送る。
【００４２】
次に、通話部１４ｃは、送受信部１３から出力されるディジタル音声信号をアナログ音声信号に変換し、それを増幅してスピーカ１４ａに送る。また、マイクロフォン１４ｂから出力されるアナログ音声信号を増幅し、それをディジタル音声信号に変換して送受信部１３に送信する。
【００４３】
次に、表示部１５の動作を説明する。表示部１５は、表示部１５が使用者によって視認可能である場合に、制御部１１に制御されることで、文字・数字や画像データの表示動作を行い、表示されているデータは、入力装置１６からの入力操作や着信信号に応答して制御部１１からの指示を受けることで切換わる。なお、表示部１５が視認不可能な場合、制御部１１は、表示部１５の表示動作の制御を行わない。また、表示部１５のバックライトは、表示部１５が使用者によって視認不可能である場合、及び、所定の時間に渡って、使用者が入力装置１６のキーを操作せず、かつ、装置にイベントの発生がない場合、制御部１１によって消灯される。ここで、イベントには、着信信号の受信や、通話の終了などを含む。
【００４４】
入力装置１６は、通信相手の電話番号を指定するための数字キーと複数の機能キーを含むキーからなる。そして、入力装置１６のキーが入力操作されると、そのキー入力を受け付けて、そのキーの識別子が制御部１１に通知され、制御部１１及び制御部１１を経由してその識別子を受信した処理部によって、表示部１５に文字として表示され、または、動作が行われる。
【００４５】
次に、留守番電話部１７の動作を説明する。留守番電話部１７は、制御部１１が基地局から送信された通話着信信号を受信して、所定時間に渡って所定の着信音をスピーカ１４ａから発生させ、及び／または、所定の振動を振動部（図示せず）から発生させたにも係らず、所定の着呼指示を示す入力装置１６から操作されたキーの識別子が受信されない場合に制御部１１によって起動される。
【００４６】
そして、留守番電話部１７は、上記着信信号に対して着呼し、使用者は電話に出ることができないので、用件を録音する旨の所定の音声を通話部１４ｃを介して送信する。次に、留守番電話部１７は、通話部１４ｃを介して受信された音声メッセージを留守番電話部１７内の記憶部（図示せず）に格納する。
【００４７】
また、留守番電話部１７は、使用者が入力装置１６の所定のキーを操作することにより、制御部１１によって起動され、留守番電話部１７内に記憶された音声メッセージの一覧を表示部１５に送って表示する。そして、入力装置１６から送信された所定のキーの識別子を受信すると、表示された音声メッセージの一覧の中の１つの音声メッセージを選択し、選択された音声メッセージを再生する。即ち、そのメッセージを通話部１４ｃを介してスピーカ１４ａに送って音声を発生させる。
【００４８】
次に、電子メール送受信部１８の動作を説明する。電子メール送受信部１８は、電子メールの送受信を行う装置である。即ち、電子メール送受信部１８は、使用者が入力装置１６の所定のキーを操作することにより、制御部１１によって起動され、電子メールの送信動作を開始する。
【００４９】
電子メール送受信部１８は、続いて、入力装置１６から送信されたキーの識別子に従って、電子メールの宛先メールアドレスと、本文データとからなる電子メール（送信メール）を作成する。そして、作成された送信メールを制御部１１経由で送受信部１３に送信する。この送信メールは、更に、通信部１２ｂ、アンテナ１２ａ、基地局を介してメールサーバ装置（図示せず）に送信される。
【００５０】
また、電子メール送受信部１８は、メールサーバ装置から基地局、アンテナ１２ａ、通信部１２ｂ、送受信部１３を介して送られた電子メール（受信メール）を制御部１１経由で受信し、受信された受信メールを、電子メール送受信部１８内の記憶部（図示せず）に格納して、動作を終了する。そして、電子メール送受信部１８は、使用者が入力装置１６の所定のキーを操作することにより、制御部１１によって起動され、電子メール送受信部１８内の記憶部に記憶された受信メールの一覧を表示部１５に送って表示する。そして、入力装置１６から送信された所定のキーの識別子を受信すると、その受信メールの中の１つを選択し、選択された受信メールを表示部１５に送って表示する。この動作によって、使用者は、受信メールを読むことができる。
【００５１】
次に、着信通知部２１の動作を説明する。着信通知部２１は、留守番電話部１７が通話部１４ｃを介して受信された音声メッセージを留守番電話部１７内の記憶部に格納した場合と、電子メール送受信部１８が受信メールを電子メール送受信部１８内の記憶部に格納した場合とに、制御部１１によって起動され、動作を開始する。この際、入力装置１６から送信されたキーの識別子を受信することなしに動作を開始する。
【００５２】
そして、着信通知部２１は、表示部１５に未再生メッセージの件数と、未読メールの件数とを表示する。図１１は、その表示の一例を示す。即ち、表示部１５の処理部表示欄１５ａに、標題として「お知らせメニュー」なる文字からなる行と、「留守録」なる文字と未再生メッセージの件数とからなる行と、「メール未読」なる文字と未読メールの件数とからなる行とが縦方向に列挙されてなる着信通知表示１５ｃを表示する。
【００５３】
更に、表示部１５の処理部表示欄１５ａの下に、「戻る」なる文字からなる第１の機能表示１５ｄ、文字を有しない第２の機能表示１５ｅ、及び、文字を有しない第３の機能表示１５ｆとが１行に表示されている。これらの第１〜第３の機能表示１５ｄ〜１５ｆは、動作中の処理部（この場合、着信通知部２１。）毎に受け付ける制御指示を、文字を表示することによって明示するものであるが、これに限るものではない。例えば、受け付ける制御指示に対応して操作されるべきキーを識別する情報であり、そのキーに印字された文字または記号などを列挙したものであっても良い。
【００５４】
ここで、上記「留守録」なる文字を含む行と、「メール未読」なる文字を含む行とのいずれかの行が選択され、着信通知部２１は、選択された行を他の行とは異なる表示をする。図１１に示す例では、「留守録」なる文字を含む行が選択され、その行にはハッチングが施されているが、異なる表示とは、ハッチングの有無に限るものではない。その行を異なる色で表示しても良いし、その行の文字を異なる色で表示しても良い。そして、着信通知部２１は、入力装置１６から送信されたワープ十字キー１６ｂの上方向キーまたは下方向キーの識別子が受信されると、着信通知部２１は、上記選択された行を、受信されたキーの識別子に従って、上方向または下方向に移動する。
【００５５】
ここで、上記「留守録」なる文字を含む行と、「メール未読」なる文字を含む行とは、メニューをなしており、入力装置１６から送信されたワープ中央キー１６ａの識別子が受信されると、前記選択されている行が「留守録」なる文字を含む行である場合、着信通知部２１は、留守番電話部１７を起動して、記憶された音声メッセージの一覧を表示させ、着信通知部２１の動作を終了する。また、前記選択されている行が「メール未読」なる文字を含む行である場合、着信通知部２１は、電子メール送受信部１８を起動して受信メールの一覧を表示部１５に送って表示させ、着信通知部２１の動作を終了する。
【００５６】
更に、ここで、入力装置１６から送信された第１のソフトキー１６ｃの識別子が受信されると、着信通知部２１は、第１の機能表示１５ｄとして表示された機能「戻る」に対応して、動作を終了する。これらの動作終了に伴い、着信通知部２１による処理部表示欄１５ａに表示された着信通知表示１５ｃ及び第１〜第３の機能表示１５ｄ〜１５ｆは消滅する。なお、第２のソフトキー１６ｄの識別子、または、第３のソフトキー１６ｅの識別子が受信されると、着信通知部２１は、処理を行わない。
【００５７】
着信通知部２１が動作中は、以上説明した、ワープ十字キー１６ｂの上方向キーまたは下方向キー、ワープ中央キー１６ａ及び第１〜第３のソフトキー１６ｃ〜１６ｅ以外のキーが操作されると、それらのキーの識別子は、制御部１１が制御して、着信通知部２１には送信されない。
【００５８】
また、着信通知部２１は使用者のキー操作を待つ処理部であって、着信通知部２１が動作中の場合、制御部１１は、上記ワープ中央キー１６ａの操作以外の操作によって留守番電話部１７及び電子メール送受信部１８を起動することはない。また、画像表示部２２を起動することはない。
【００５９】
なお、表示部１５のピクト欄１５ｂに、制御部１１は、受信された電波の強度を示すアンテナと０〜３本の縦線とからなるピクトと、充電池（図示せず）に蓄えられた電力の多寡を示す電池形状からなるピクトとを常に表示する。そして、着信通知部２１が動作しているか否かを問わず、未再生メッセージがある場合、制御部１１は、そのメッセージがあることを示すピクト、例えば、録音用カセットを示す図形を図１１に例示するようにピクト欄１５ｂに表示する。また、着信通知部２１が動作しているか否かを問わず、未読メールがある場合、制御部１１は、そのメールがあることを示すピクト、例えば、封筒を示す図形を図１１に例示するようにピクト欄１５ｂに表示する。
【００６０】
以上の説明では、着信通知部２１は、留守番電話部１７が音声メッセージを留守番電話部１７内の記憶部に格納した場合と、電子メール送受信部１８が受信メールを電子メール送受信部１８内の記憶部に格納した場合とに起動されるとした。また、この２つの場合に対応して、着信通知部２１は、着信通知部２１が示すメニューの音声メッセージの格納に対応する項目が選択されると記憶された音声メッセージの一覧を表示させ、受信メールの格納に対応する項目が選択されると記憶された受信メールの一覧を表示させるとしたが、これに限るものではない。
【００６１】
例えば、制御部１１が通話着信信号を受信し、その着信を発呼した装置の電話番号を制御部１１内の記憶部（図示せず）に格納し、その後、その着信信号に着呼処理がされない場合に起動されても良い。この場合に対応して、着信通知部２１は、着信通知部２１が示すメニューに着呼がされない着信信号を受信した旨の項目を表示する。そして、この項目が選ばれると、その着信信号と共に受信された、その着信を発呼した装置の電話番号の一覧を表示する。
【００６２】
これ以外にも、着信通知部２１は、制御部１１が基地局を経由して信号を受信し、その受信された信号と関連付けられて受信された情報を表示、または、聴取していない場合に起動されても良い。そして、着信通知部２１は、着信通知部２１が示すメニューに上記信号が受信された旨の項目を表示する。そして、その項目が選ばれると、その信号に関連付けられて受信された情報、その情報の一部、または、その情報の一覧を表示し、あるいは、その情報を表示する処理部（図示せず）を起動して動作を開始させる。
【００６３】
次に、画像表示部２２の動作を説明する。画像表示部２２は、コンテンツの再生表示を行う装置であり、低い優先度で動作する。即ち、制御部１１は、画像表示部２２が動作中に、使用者の所定のキー操作によって、または、その他のイベントによって、画像表示部２２の動作を一時的に停止させ、それ以外の処理（通話部１４ｃ、送受信部１３などによる通話処理、留守番電話部１７の処理、電子メール送受信部１８の処理及び着信通知部２１の処理のいずれかの処理。）をさせることがある。
【００６４】
画像表示部２２は、使用者の所定のキー操作によって、制御部１１が起動することによって、動作を開始する。そして、画像表示部２２内の記憶部（図示せず）に記憶されたコンテンツを再生して、表示部１５に表示する。図１２は、画像表示部２２によって行われた表示部１５の表示の一例を示す。即ち、画像表示部２２は、表示部１５の処理部表示欄１５ａに上記コンテンツが再生された画像表示１５ｇと、画像表示１５ｇの下に第１〜第３の機能表示１５ｈ〜１５ｊからなる行とを表示する。
【００６５】
ここで、上記コンテンツは、例えば、仮想ペットの動作からなるアニメーションであるが、これに限るものではない。映画であっても良く、静止画であっても良く、静止画が所定の時間間隔で交換されて表示されるものでも良く、また、ゲームであっても良い。また、使用者との対話の有無を問わない。使用者との対話を伴うアニメーション、映画、または、所定の時間間隔で交換されて表示される静止画とは、使用者の操作によって、それ以降の内容が選択可能なアニメーション、映画であり、または、それ以降に交換されて表示される静止画が異なるものである。
【００６６】
また、上記コンテンツは、画像情報に併せて音声情報を含むものであっても良く、音声情報を含まないものであっても良い。音声情報は、画像表示部２２によって再生され、スピーカ１４ａ、または、上下筐体１、２の背面に設置された第２のスピーカ（図示せず）から発生される。
【００６７】
図１２に示す例では、第１の機能表示１５ｈには、「メール」なる文字列が表示され、入力装置１６から送信された第１のソフトキー１６ｃの識別子が受信された場合、画像表示部２２は、画像表示部２２内に組み込まれた第２の電子メール送受信部（図示せず）を起動させることを示す。
【００６８】
また、第２の機能表示１５ｉには、文字が表示されておらず、第２のソフトキー１６ｄの識別子が受信された場合、画像表示部２２は、処理を行わないことを示す。更に、第３の機能表示１５ｊには、「メニュー」なる文字列が表示され、第３のソフトキー１６ｅの識別子が受信された場合、画像表示部２２は、画像表示１５ｇ上に重ねてポップアップメニューを表示することを示す。
【００６９】
図１３は、第３のソフトキー１６ｅの識別子が受信された際に表示部１５に表示される表示、即ち、ポップアップメニュー１５ｋが表示された一例を示す。第１、第２の機能表示１５ｈ、１５ｉには、文字が表示されておらず、第１、第２のソフトキー１６ｃ、１６ｄの識別子が受信された場合、画像表示部２２は、処理を行わないことを示す。また、第３の機能表示１５ｊには、「閉じる」なる文字列が表示され、第３のソフトキー１６ｅの識別子が受信された場合、ポップアップメニュー１５ｋが消滅されることを示す。
【００７０】
ポップアップメニュー１５ｋは、「食事」なる文字列が表示された項目と「終了」なる文字列が表示された項目とからなり、画像表示１５ｇの一部を隠して表示される。画像表示部２２は、入力装置１６から送信されたワープ十字キー１６ｂの上方向キーの識別子と、ワープ十字キー１６ｂの下方向キーの識別子とのいずれかが受信されることによって、上記２つの項目のいずれかの項目を選択する。
【００７１】
そして、ワープ中央キー１６ａの識別子が受信されると、画像表示部２２は、選択されていた項目に依存する動作を行う。即ち、「食事」なる文字列が表示された項目が選択されていた場合、仮想ペットが食事をするアニメーションが表示される。一方、「終了」なる文字列が表示された項目が選択されていた場合、画像表示部２２は、動作を終了する。この動作終了に伴い、画像表示部２２によって表示部１５の処理部表示欄１５ａに表示されていた表示は消滅する。
【００７２】
なお、画像表示部２２は、低い優先度で動作する。即ち、制御部１１は、所定の場合、画像表示部２２の動作を一時停止させる。一時停止中は、制御部１１は、表示部１５の処理部表示欄１５ａに表示された画像表示部２２による表示を消滅させ、また、音声が発生されている場合、その音声の発生を中止する。その際、一時停止されていて動作していないものの画像表示部２２が起動されていることを示すピクトがピクト欄１５ｂに表示されても良い。
【００７３】
上記所定の場合には、まず、使用者の操作がされた場合がある。例えば、制御部１１は、入力装置１６から送信された第１〜第３の機能表示１５ｈ〜１５ｊ以外の所定のキー（例えば、電源投入と切断に用いられるキー。）の識別子を受信すると、画像表示部２２の動作を一時停止させる。そして、その動作の一時停止から所定時間内にキーの識別子を受信すると、そのキーによって識別される処理を開始する。
【００７４】
開始される処理としては、発信処理、着信信号に対する着呼処理、留守番電話部１７の起動、または、電子メール送受信部１８の起動がある。これらの処理が終了すると、制御部１１は、画像表示部２２の動作を再開させる。なお、上記所定の時間内にキーの識別子を受信しない場合、制御部１１は、画像表示部２２の動作を再開させる。また、１回のキーの識別子の受信によって、画像表示部２２の動作の一時停止と、処理を開始することを続けて行っても良い。
【００７５】
また、使用者の操作がされない場合でも、制御部１１は、所定の場合、画像表示部２２の動作を一時停止させ、新たな処理を開始しても良い。上記所定の場合には、例えば、着信信号を受信した場合、留守番電話部１７が受話音声を留守番電話部１７内に格納して、着信通知部２１が起動された場合、及び、電子メール送受信部１８が受信メールを受信して、そのメールを電子メール送受信部１８内に格納して、着信通知部２１が起動された場合とがある。これらの上記新たな処理が終了すると、制御部１１は、画像表示部２２の動作を再開させる。
【００７６】
なお、以上の説明では、制御部１１は、所定の場合、画像表示部２２の動作を一時停止させ、表示部１５の処理部表示欄１５ａに表示された画像表示部２２による表示を消滅させるとしたが、これに限るものではない。例えば、所定の場合に新たに行われる処理に支障がない範囲で画像表示部２２の動作を継続させても良い。また、所定の場合に行われる処理が表示部１５の処理部表示欄１５ａに行う表示によって、画像表示部２２による画像表示１５ｇの全てが隠されない場合、その隠されない部分については、画像表示部２２による表示を続けさせても良い。
【００７７】
次に、制御部１１の操作ロック及びそのロックの解除の制御動作を説明する。図１４は、制御部１１の操作ロック及びそのロックの解除の制御動作のフローチャートを示す。この制御動作は、所定時間間隔で動作を開始する。ただし、制御部１１がこの制御動作を既に実行中である場合、動作を開始しない（ステップＳ１１ａ）。そして、開閉信号３ｂを受信して、その開閉信号３ｂによって上下筐体１、２が閉状態であり、かつ、制御部１１内に記憶された過去の開閉信号３ｂによって閉状態になってから所定の時間が経過したか否かを調べる（ステップＳ１１ｂ）。
【００７８】
ここで、その所定の時間は０である、即ち、上下筐体１、２が閉状態になった場合、速やかに以下に説明するように、操作ロック及びそのロックの解除の制御動作を行っても良い。また、その所定の時間が０である場合、上下筐体１、２が閉状態であることを示す開閉信号３ｂを受信すると、制御部１１の操作ロック及びそのロックの解除の制御動作が開始されるとしても良い。
【００７９】
ステップＳ１１ｂで、上下筐体１、２が閉状態になってから所定の時間が経過したと検出した場合、制御部１１は、移動通信端末装置内で動作中の処理を調べる（ステップＳ１１ｃ）。即ち、使用者の操作なしで起動され、使用者の操作を待っている処理（例えば、着信通知部２１の処理。）及び／または優先度が低い処理（例えば、画像表示部２２の処理。）のみが動作中であるか否かを調べる。
【００８０】
そして、使用者の操作なしで起動され、使用者の操作を待っている処理及び／または優先度が低い処理のみが動作中である場合、制御部１１は、移動通信端末装置が放置されている可能性があると判断して、その装置に操作ロックを施し、操作ロックが施されたことを制御部１１内に記憶する（ステップＳ１１ｄ）。即ち、入力装置１６から送信されたキーの識別子が受信されても、制御部１１は、その受信によって新たな動作をさせず、操作ロック及びそのロックの解除の制御動作のみを続ける。なお、操作ロックが施されている場合、着呼操作や、電源の投入、切断、警察への通報など、所定の操作に対応するキーの識別子が受信されると、制御部１１は、その操作に対しては新たな動作をさせる。
【００８１】
続いて、制御部１１は、入力装置１６から送信されたキーの識別子を受信し、表示部１５のバックライトを点灯させて、所定の表示をさせる（ステップＳ１１ｅ）。なお、この表示部１５のバックライトの点灯による表示開始は、受信されたキーの識別子が操作ロック解除に用いられる可能性のあるキーの識別子である場合に行い、その可能性のないキーの識別子である場合に行わないとしても良い。
【００８２】
例えば、操作ロック解除には暗証番号の入力が要求される場合、操作ロック解除に用いられるキーは数字キーのみであるため、制御部１１は、数字キーの識別子が受信された場合のみ、上記表示部１５の表示を行うとしても良い。また、操作ロック解除にはパスワードの入力が要求される場合、操作ロック解除に用いられるキーは文字を入力するためのキーであるため、文字を入力するためのキーが受信された場合のみ、上記表示部１５の表示を行うとしても良い。
【００８３】
次に、制御部１１は、認証動作を行い、即ち、例えば、操作ロック解除には暗証番号の入力が要求される場合、ステップＳ１１ｅで受信されたキーの識別子が示す情報が、制御部１１内に記憶された所定の暗証番号と等しいか否かを調べ（ステップＳ１１ｆ）、等しい場合、操作ロックを解除して（ステップＳ１１ｇ）、操作ロック及びそのロックの解除の制御動作を終了する（ステップＳ１１ｈ）。一方、等しくない場合、ステップＳ１１ｅの操作されたキーの識別子を受信し、表示部１５の表示を点灯させる動作に戻る。
【００８４】
ステップＳ１１ｃで使用者の操作なしで起動され、使用者の操作を待っている処理及び／または優先度が低い処理以外の処理（例えば、留守番電話部１７の処理や、電子メール送受信部１８の処理や、通話処理。）が動作中である場合、制御部１１は、操作ロック及びそのロックの解除の制御動作を終了する（ステップＳ１１ｈ）。
【００８５】
また、ステップＳ１１ｂで、上下筐体１、２が閉状態であり、閉状態になってから所定の時間が経過していない場合、または、上下筐体１、２が開状態である場合（ステップＳ１１ｂの「経過せず」）、制御部１１は、移動通信端末装置が使用者のキー操作待ちの状態となって、即ち、入力装置１６からキーの識別子が送信されることを待つ状態となってから、所定の時間が経過したか否かを調べる（ステップＳ１１ｉ）。
【００８６】
ここで、上記所定の時間は、既に説明した、使用者が入力装置１６のキーを操作せず、かつ、装置にイベントの発生がない場合、制御部１１によって表示部１５のバックライトが消灯されるまでの所定の時間と同一としても良い。また、制御部１１によって表示部１５のバックライトが消灯される信号が発信されると、その信号によって、制御部１１の操作ロック及びそのロックの解除の制御動作が開始されるとしても良い。
【００８７】
ステップＳ１１ｉで、上記所定の時間が経過したと判断した場合、制御部１１は、ステップＳ１１ｃの、動作中の処理を調べる動作以降の動作をする。一方、上記所定の時間が経過していないと判断した場合、制御部１１は、操作ロック及びそのロックの解除の制御動作を終了する（ステップＳ１１ｈ）。
【００８８】
以上の説明では、制御部１１は、上下筐体１、２が閉状態になって所定時間経過した場合と、使用者の入力操作待ちが所定時間経過した場合とに、ステップＳ１１ｃ以降の操作ロックの制御動作を行うとしたが、使用者の所定のキー操作によって、この２つの場合のそれぞれに、または、両方に操作ロックの制御動作を行わせるか否かの設定が使用者によって可能であるとしても良い。
【００８９】
また、ステップＳ１１ｄの操作ロックを施し、その旨の記憶の動作が行われた後、移動通信端末装置の電源が切断され、そして、投入された場合、制御部１１は、記憶された操作ロックが施されたことを示す情報を読み出して、制御部１１の操作ロック及びそのロックの解除の制御動作をステップＳ１１ｅから実行する。この制御動作によって、電源の切断及び投入によって、施された操作ロックがステップＳ１１ｆの、例えば暗証番号による、認証動作なしに解除されることはない。本発明は以上の構成に限定されるものではなく、種々の変形が可能である。
【図面の簡単な説明】
【００９０】
【図１】本発明の実施形態に係る第１の開閉自在の折畳み型移動通信端末装置の上下筐体を開いた際の外観図。
【図２】本発明の実施形態に係る第１の開閉自在の折畳み型移動通信端末装置の上下筐体を閉じた際の外観図。
【図３】本発明の実施形態に係る第２の開閉自在の折畳み型移動通信端末装置の上下筐体を開いた際の外観図。
【図４】本発明の実施形態に係る第２の開閉自在の折畳み型移動通信端末装置の上下筐体を閉じた際の外観図（その１）。
【図５】本発明の実施形態に係る第２の開閉自在の折畳み型移動通信端末装置の上下筐体を閉じた際の外観図（その２）。
【図６】本発明の実施形態に係る第２の開閉自在の折畳み型移動通信端末装置の上筐体を回動させた際の外観図。
【図７】本発明の実施形態に係る第２の開閉自在の折畳み型移動通信端末装置の上下筐体を閉じた際の外観図（その３）。
【図８】本発明の実施形態に係る第３の開閉自在のスライド型移動通信端末装置の上下筐体を開いた際の外観図。
【図９】本発明の実施形態に係る第３の開閉自在のスライド型移動通信端末装置の上下筐体を閉じた際の外観図。
【図１０】本発明の実施形態に係る折畳み型移動通信端末装置の構成を示すブロック図。
【図１１】本発明の実施形態に係る着信通知部が表示部に行う表示の一例を示す図。
【図１２】本発明の実施形態に係る画像表示部が表示部に行う表示の一例を示す図（その１）。
【図１３】本発明の実施形態に係る画像表示部が表示部に行う表示の一例を示す図（その２）。
【図１４】本発明の実施形態に係る制御部の操作ロック及び操作ロック解除の制御動作を示すフローチャート。
【符号の説明】
【００９１】
１  上筐体
２  下筐体
３  ヒンジ部
３ａ  第２のヒンジ部
３ｂ  開閉信号
１１  制御部
１２ｂ  通信部
１３  送受信部
１４ｃ  通話部
１５  表示部
１５ａ  処理部表示欄
１５ｂ  ピクト欄
１５ｃ  着信通知表示
１５ｄ、１５ｈ  第１の機能表示
１５ｅ、１５ｉ  第２の機能表示
１５ｆ、１５ｊ  第３の機能表示
１５ｇ  画像表示
１５ｋ  ポップアップメニュー
１６  入力装置
１６ａ  ワープ中央キー
１６ｂ  ワープ十字キー
１６ｃ  第１のソフトキー
１６ｄ  第２のソフトキー
１６ｅ  第３のソフトキー
１７  留守番電話部
１８  電子メール送受信部
２１  着信通知部
２２  画像表示部
【図１】
2006222567.tif 000003
【図２】
2006222567.tif 000004
【図３】
2006222567.tif 000005
【図４】
2006222567.tif 000006
【図５】
2006222567.tif 000007
【図６】
2006222567.tif 000008
【図７】
2006222567.tif 000009
【図８】
2006222567.tif 000010
【図９】
2006222567.tif 000011
【図１０】
2006222567.tif 000012
【図１１】
2006222567.tif 000013
【図１２】
2006222567.tif 000014
【図１３】
2006222567.tif 000015
【図１４】
2006222567.tif 000016